(57)【要約】【課題】チャンネル切り替え時のブランキングの発生を、より確実に防ぐことができるようにするものである。【解決手段】番組の視聴が指示されたとき、２つ設けられるうちの一方のチューナであるチューナ１により、視聴が指示された番組のチャンネルの受信が行われ、映像が表示される。その間、チューナ２においては、チューナ１により受信されていないチャンネルの受信が、チャンネルを切り替えて順次行われる。チューナ２により得られた番組の一部である静止画や短い動画は保存され、チューナ１において受信するチャンネルをチャンネル３に切り換えることが指示されたとき、チューナ１によりチャンネル３が受信され、その映像が表示されるまでの間表示される。本発明は、例えば、２つのチューナを有する機器に適用することができる。【選択図】図２
2008011234.tif 000002
【特許請求の範囲】
【請求項１】
放送波またはネットワークを介して複数のコンテンツを取得する取得手段と、
前記取得手段により取得された複数のコンテンツのうち、選択されたコンテンツの映像を表示させる表示制御手段と、
前記取得手段により取得された複数のコンテンツのうちの、前記表示制御手段により映像が表示されているコンテンツ以外のそれぞれのコンテンツの一部の映像を復号し、保存する保存手段と
を備え、
前記表示制御手段は、表示する映像を所定のコンテンツの映像に切り換えることが指示されたとき、前記所定のコンテンツの復号を開始し、復号して得られた映像を表示させることができるようになるまでの間、前記保存手段により保存されている前記所定のコンテンツの一部の映像を表示させる
表示制御装置。
【請求項２】
前記保存手段は、起動した後、前記コンテンツの優先順位に基づいて、前記表示制御手段により映像が表示されているコンテンツ以外のそれぞれのコンテンツの一部の映像を保存することを開始する
請求項１に記載の表示制御装置。
【請求項３】
２つのチューナを制御してコンテンツを取得する場合、前記取得手段は、一方のチューナを制御して、映像を表示させる前記コンテンツを取得し、他方のチューナを制御して、一部の映像を前記保存手段に保存させる前記コンテンツを取得する
請求項１に記載の表示制御装置。
【請求項４】
放送波またはネットワークを介して複数のコンテンツを取得し、
取得された複数のコンテンツのうち、選択されたコンテンツの映像を表示させ、
取得された複数のコンテンツのうちの、映像が表示されているコンテンツ以外のそれぞれのコンテンツの一部の映像を復号して保存し、
表示する映像を所定のコンテンツの映像に切り換えることが指示されたとき、所定のコンテンツの復号を開始し、復号して得られた映像を表示させることができるようになるまでの間、前記保存手段により保存されている前記所定のコンテンツの一部の映像を表示させる
ステップを含む表示制御方法。
【請求項５】
放送波またはネットワークを介して複数のコンテンツを取得し、
取得された複数のコンテンツのうち、選択されたコンテンツの映像を表示させ、
取得された複数のコンテンツのうちの、映像が表示されているコンテンツ以外のそれぞれのコンテンツの一部の映像を復号して保存し、
表示する映像を所定のコンテンツの映像に切り換えることが指示されたとき、所定のコンテンツの復号を開始し、復号して得られた映像を表示させることができるようになるまでの間、前記保存手段により保存されている前記所定のコンテンツの一部の映像を表示させる
ステップを含む処理をコンピュータに実行させるプログラム。
【発明の詳細な説明】
【技術分野】
【０００１】
本発明は、表示制御装置および方法、並びにプログラムに関し、特に、チャンネル切り替え時のブランキングの発生を、より確実に防ぐことができるようにした表示制御装置および方法、並びにプログラムに関する。
【背景技術】
【０００２】
従来、ディジタル放送の番組の映像を表示している最中にチャンネルの切り替えがユーザにより指示された場合、新たに映像を表示しようとする番組の復号はユーザがチャンネルの切り替え操作を行ってから開始されるため、ある程度の映像の復号が終了するまでの暫くの間、ブランキング（何も表示されていない黒い画面）が表示されるようになされている。
【０００３】
従って、ユーザとしては、自分が行った操作が即座に反映され、切り替え後の番組の内容を即座に見たいのにも関わらず、それが可能となるまでに暫く待たされてしまうのでストレスを感じてしまうことがあった。
【０００４】
そこで、そのようなことを解消するために、４つ以上のディジタルチューナを使って、「ユーザが見ている番組」の復号処理と並行して、「チャンネル番号順で、ユーザが見ている番組のチャンネルの前後のチャンネルの番組」、「予測に基づいて選択される、ユーザが次に切り替える可能性が高い番組」の復号処理をもあらかじめ行っておき、チャンネルの切り替えが指示されたときに、あらかじめ行っていた復号処理の結果を用いて画面表示を行うことにより、チャンネルを切り替えた時に、即座に、切り替え後の番組の内容をユーザが見ることができるようにした技術が提案されている（特許文献１）。
【特許文献１】特開２００１−９４８９２号公報
【発明の開示】
【発明が解決しようとする課題】
【０００５】
しかしながら、特許文献１に開示されている技術は、「ユーザが見ている番組」、「ユーザが見ている番組のチャンネルの前のチャンネルの番組」、「ユーザが見ている番組のチャンネルの後のチャンネルの番組」、「ユーザが次に切り替える可能性が高い番組」の４つの番組を受信するために少なくとも４つのチューナがないと実現できない。
【０００６】
また、放送中の番組の数がチューナの数以上あり、予測が外れたりしたことから、復号処理をあらかじめ行っていない番組のチャンネルに切り換えることが指示された場合、やはり、ブランキングが発生してしまうことになる。
【０００７】
本発明はこのような状況に鑑みてなされたものであり、チャンネル切り替え時のブランキングの発生を、より確実に防ぐことができるようにするものである。
【課題を解決するための手段】
【０００８】
本発明の一側面の表示制御装置は、放送波またはネットワークを介して複数のコンテンツを取得する取得手段と、前記取得手段により取得された複数のコンテンツのうち、選択されたコンテンツの映像を表示させる表示制御手段と、前記取得手段により取得された複数のコンテンツのうちの、前記表示制御手段により映像が表示されているコンテンツ以外のそれぞれのコンテンツの一部の映像を復号し、保存する保存手段とを備え、前記表示制御手段は、表示する映像を所定のコンテンツの映像に切り換えることが指示されたとき、前記所定のコンテンツの復号を開始し、復号して得られた映像を表示させることができるようになるまでの間、前記保存手段により保存されている前記所定のコンテンツの一部の映像を表示させる。
【０００９】
前記保存手段には、起動した後、前記コンテンツの優先順位に基づいて、前記表示制御手段により映像が表示されているコンテンツ以外のそれぞれのコンテンツの一部の映像を保存することを開始させる。
【００１０】
２つのチューナを制御してコンテンツを取得する場合、前記取得手段には、一方のチューナを制御して、映像を表示させる前記コンテンツを取得させ、他方のチューナを制御して、一部の映像を前記保存手段に保存させる前記コンテンツを取得させる。
【００１１】
本発明の一側面の表示制御方法またはプログラムは、放送波またはネットワークを介して複数のコンテンツを取得し、取得された複数のコンテンツのうち、選択されたコンテンツの映像を表示させ、取得された複数のコンテンツのうちの、映像が表示されているコンテンツ以外のそれぞれのコンテンツの一部の映像を復号して保存し、表示する映像を所定のコンテンツの映像に切り換えることが指示されたとき、所定のコンテンツの復号を開始し、復号して得られた映像を表示させることができるようになるまでの間、前記保存手段により保存されている前記所定のコンテンツの一部の映像を表示させるステップを含む。
【００１２】
本発明の一側面においては、放送波またはネットワークを介して複数のコンテンツが取得され、取得された複数のコンテンツのうち、選択されたコンテンツの映像が表示され、
取得された複数のコンテンツのうちの、映像が表示されているコンテンツ以外のそれぞれのコンテンツの一部の映像が復号されて保存され、表示する映像を所定のコンテンツの映像に切り換えることが指示されたとき、所定のコンテンツの復号が開始され、復号して得られた映像を表示させることができるようになるまでの間、所定のコンテンツの一部の映像が表示される。
【発明の効果】
【００１３】
本発明の一側面によれば、チャンネル切り替え時のブランキングの発生を、より確実に防ぐことができる。
【発明を実施するための最良の形態】
【００１４】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１５】
本発明の一側面の表示制御装置（例えば、図１のテレビジョン受像機１）は、放送波またはネットワークを介して複数のコンテンツを取得する取得手段（例えば、図１のディジタルチューナ１２，１４）と、前記取得手段により取得された複数のコンテンツのうち、選択されたコンテンツの映像を表示させる表示制御手段（例えば、表示パネル２２）と、前記取得手段により取得された複数のコンテンツのうちの、前記表示制御手段により映像が表示されているコンテンツ以外のそれぞれのコンテンツの一部の映像を復号し、保存する保存手段（例えば、映像信号処理回路１９のメモリ１９Ａ）とを備え、前記表示制御手段は、表示する映像を所定のコンテンツの映像に切り換えることが指示されたとき、前記所定のコンテンツの復号を開始し、復号して得られた映像を表示させることができるようになるまでの間、前記保存手段により保存されている前記所定のコンテンツの一部の映像を表示させる。
【００１６】
２つのチューナを制御してコンテンツを取得する場合、前記取得手段には、一方のチューナ（例えば、図１のディジタルチューナ１２）を制御して、映像を表示させる前記コンテンツを取得させ、他方のチューナ（例えば、図１のディジタルチューナ１４）を制御して、一部の映像を前記保存手段に保存させる前記コンテンツを取得させる。
【００１７】
本発明の一側面の情報処理方法またはプログラムは、放送波またはネットワークを介して複数のコンテンツを取得し、取得された複数のコンテンツのうち、選択されたコンテンツの映像を表示させ（例えば、図４のステップＳ８）、取得された複数のコンテンツのうちの、映像が表示されているコンテンツ以外のそれぞれのコンテンツの一部の映像を復号して保存し、表示する映像を所定のコンテンツの映像に切り換えることが指示されたとき、所定のコンテンツの復号を開始し（例えば、図４のステップＳ５）、復号して得られた映像を表示させることができるようになるまでの間、前記保存手段により保存されている前記所定のコンテンツの一部の映像を表示させるステップ（例えば、図４のステップＳ３）を含む。
【００１８】
以下、本発明の実施の形態について図を参照して説明する。
【００１９】
図１は、本発明を適用したテレビジョン受像機１のハードウエア構成例を示すブロック図である。
【００２０】
図１に示されるように、テレビジョン受像機１にはディジタルチューナ１２と１４の２つのチューナが設けられている。テレビジョン受像機１においては、ユーザにより選択され、視聴が行われている１つの番組の他に、それと同時に、１つの裏番組を受信することができるようになされている。
【００２１】
アンテナ入力端子１１は、ディジタル放送（地上ディジタル放送、BS／CSディジタル放送）受信用のアンテナからの信号を入力する。ディジタルチューナ１２は、アンテナ入力端子１１に入力されたディジタルアンテナからの放送波信号を受信、復調し、得られたトランスポートストリームをMPEG(Moving Picture Experts Group)デコーダ１３に出力する。ディジタルチューナ１２は、取得したMPEG-TSをMPEGデコーダ１３に出力する。
【００２２】
MPEGデコーダ１３は、ディジタルチューナ１２から供給されたMPEG-TSに施されているスクランブルを解除し、再生対象になっている番組のデータを含むストリームを抽出する。MPEGデコーダ１３は、抽出したストリームを構成する音声パケットをデコードし、得られた音声データを音声信号処理回路１６に出力するとともに、ストリームを構成する映像パケットをデコードし、得られた映像データを映像信号処理回路１９に出力する。
【００２３】
ディジタルチューナ１４も同様に、アンテナ入力端子１１に入力された放送波信号を受信、復調し、得られたトランスポートストリームをMPEGデコーダ１５に出力する。MPEGデコーダ１５は、ディジタルチューナ１４から供給されたトランスポートストリームを構成する音声パケットをデコードし、得られた音声データを音声信号処理回路１６に出力するとともに、ストリームを構成する映像パケットをデコードし、得られた映像データを映像信号処理回路１９に出力する。
【００２４】
音声信号処理回路１６は、MPEGデコーダ１３から供給された音声データに対して、あるいは、MPEGデコーダ１５から供給された音声データに対してノイズ除去などの所定の処理を施し、得られた音声データを音声増幅回路１７に出力する。音声増幅回路１７は、音声信号処理回路１６から供給された音声データに対してD/A変換処理、増幅処理を施し、所定の音量に調整した後、番組の音声をスピーカ１８から出力させる。
【００２５】
映像信号処理回路１９は、MPEGデコーダ１３から供給された映像データに対して、あるいはMPEGデコーダ１５から供給された映像データに対してノイズ除去などの所定の処理を施し、得られた映像データをディスプレイ回路２０に出力する。映像信号処理回路１９には、メモリ１９Ａが設けられており、MPEGデコーダ１５から供給された映像データがそこに保存される（その詳細は後述する）。
【００２６】
ディスプレイ回路２０は、表示パネル２２に表示させる番組の映像データを生成し、生成した映像データをパネル駆動回路２１に出力する。パネル駆動回路２１は、ディスプレイ回路２０から供給されたデータに基づいて表示パネル２２を駆動し、番組の映像などを表示パネル２２に表示させる。表示パネル２２はLCD(Liquid Crystal Display)などよりなり、パネル駆動回路２１による制御にしたがって番組の映像などを表示させる。
【００２７】
後に詳述するように、表示パネル２２には、ユーザにより選択された番組の映像が表示されるとともに、チャンネルの切り替えが指示されたとき、切り替え後のチャンネルで放送される番組の映像を表示することができるようになるまでの間、番組を受信していた方のチューナとは別のチューナが用いられることによって得られた、切り替え後の番組の映像の一部が表示される。
【００２８】
チャンネルの切り替えが指示されてから番組のデコードなどが開始される場合、ユーザがチャンネルの切り替えを指示してから、切り替え後のチャンネルで放送される番組の映像を表示することができるようになるまでには時間があり、この時間に、番組の視聴に用いられていたチューナとは別のチューナによってあらかじめ取得されていた番組の一部の映像が表示されることになる。
【００２９】
内部バス２３には、SDRAM(Synchronous Dynamic Random Access Memory)２４、フラッシュメモリ２５、CPU２６が接続される。SDRAM２４は、CPU２６が処理を行う上で必要な各種のデータを記憶する。フラッシュメモリ２５は、CPU２６により実行されるプログラムを記憶する。フラッシュメモリ２５に記憶されているプログラムは、テレビジョン受像機１の起動時などの所定のタイミングでCPU２６により読み出される。
【００３０】
CPU２６は、フラッシュメモリ２５に記憶されているプログラムを実行し、受光部２７から供給される制御コードなどに応じてテレビジョン受像機１の全体の動作を制御する。CPU２６とテレビジョン受像機１の各部は、図示せぬ経路を介して接続されている。受光部２７は、リモートコントローラ２８からの赤外線を受光し、復調して得られたユーザ操作の内容を表す制御コードをCPU２６に出力する。
【００３１】
図２は、以上のような構成を有するテレビジョン受像機１において行われる受信チャンネルの切り替えの例を示す図である。
【００３２】
図２においては、図１のディジタルチューナ１２をチューナ１として、図１のディジタルチューナ１４をチューナ２として説明する。また、受信可能なチャンネルがチャンネル１，３，４，６，８の５つのチャンネルであるものとする。
【００３３】
図２の例においては、チューナ１が、視聴する番組を受信するためのチューナとして割り当てられ、チューナ２が、チャンネルを切り換えることが指示されたときに表示させる映像の一部を受信するためのチューナとして割り当てられている。
【００３４】
すなわち、ユーザがチャンネル１で放送されている番組を視聴することを指示したとき、図２に示されるように、CPU２６による制御に従って、チューナ１によりチャンネル１の受信が開始される。チューナ１によりチャンネル１が受信されることによって得られた番組のデータはMPEGデコーダ１３により復号され、復号して得られた番組の映像が、映像信号処理回路１９、ディスプレイ回路２０、パネル駆動回路２１を介して表示パネル２２に表示される。
【００３５】
また、チューナ１によりチャンネル１の受信が開始され、チャンネル１で放送される番組の視聴が開始されたとき、視聴する番組を受信するためのチューナとは異なるチューナであるチューナ２により、例えば、チャンネル３の受信が所定の期間だけ行われる。
【００３６】
チャンネル３を所定の期間だけ受信することによって得られた、チャンネル３で放送されている番組の映像データはMPEGデコーダ１５により復号され、復号して得られた映像が、例えば、映像信号処理回路１９内に設けられているメモリ１９Ａのメモリ空間Ａに保存される。メモリ空間Ａには、チャンネル３で放送されている番組の１フレームの映像をキャプチャした静止画、あるいは、チャンネル３で放送されている番組の所定の数のフレームからなる短い動画が、視聴する番組のチャンネルをチャンネル１からチャンネル３に切り換えることが指示されたときに表示させる映像の一部として保存される。
【００３７】
図３は、映像信号処理回路１９のメモリ１９Ａに形成されるメモリ空間の例を示す図である。
【００３８】
図３に示されるように、メモリ１９Ａには、メモリ空間Ａ，Ｂ，Ｃ，Ｄ，・・・などのように、少なくとも、チューナ２により対象を切り換えることによって受信されるチャンネルの数と同じ数だけのメモリ空間が形成される。
【００３９】
図３のメモリ空間Ａは、チューナ２によりチャンネル３が所定の期間だけ受信されることによって得られた番組の静止画、または短い動画が記憶される空間であり、メモリ空間Ｂは、チューナ２により、チャンネル３に続けてチャンネル４の番組が所定の期間だけ受信されることによって得られた静止画、または短い動画が記憶される空間である。
【００４０】
メモリ空間Ｃは、チューナ２により、チャンネル４に続けてチャンネル６が所定の期間だけ受信されることによって得られた番組の静止画、または短い動画が記憶される空間であり、メモリ空間Ｄは、チューナ２により、チャンネル６に続けてチャンネル８の番組が所定の期間だけ受信されることによって得られた静止画、または短い動画が記憶される空間である。
【００４１】
図２の説明に戻り、チャンネル３で放送されている番組の１フレームの映像をキャプチャした静止画、あるいは、チャンネル３で放送されている番組の所定の数のフレームからなる短い動画が保存されたとき、チューナ２においては、次に、チャンネル４の受信が所定の期間だけ行われる。なお、この間も、チューナ１においてはユーザが視聴している番組を放送するチャンネルの受信が続けられており、チューナ２において受信されるチャンネルだけが、順次切り替えられる。
【００４２】
チャンネル４を所定の期間だけ受信することによって得られた映像データはMPEGデコーダ１５により復号され、復号して得られた番組の映像が、映像信号処理回路１９内に設けられているメモリ１９Ａのメモリ空間Ｂに保存される。メモリ空間Ｂには、チャンネル４で放送されている番組の１フレームの映像をキャプチャした静止画、あるいは、チャンネル４で放送されている番組の所定の数のフレームからなる短い動画が、視聴する番組のチャンネルをチャンネル１からチャンネル４に切り換えることが指示されたときに表示させる映像の一部として保存される。
【００４３】
同様に、チャンネル４で放送されている番組の１フレームの映像をキャプチャした静止画、あるいは、チャンネル４で放送されている番組の所定の数のフレームからなる短い動画が保存されたとき、チューナ２においては、次に、チャンネル６の受信が所定の期間だけ行われる。
【００４４】
チャンネル６を所定の期間だけ受信することによって得られた映像データはMPEGデコーダ１５により復号され、復号して得られた番組の映像が、映像信号処理回路１９内に設けられているメモリ１９Ａのメモリ空間Ｃに保存される。メモリ空間Ｃには、チャンネル６で放送されている番組の１フレームの映像をキャプチャした静止画、あるいは、チャンネル６で放送されている番組の所定の数のフレームからなる短い動画が、視聴する番組のチャンネルをチャンネル１からチャンネル６に切り換えることが指示されたときに表示させる映像の一部として保存される。
【００４５】
チャンネル６で放送されている番組の１フレームの映像をキャプチャした静止画、あるいは、チャンネル６で放送されている番組の所定の数のフレームからなる短い動画が保存されたとき、チューナ２においては、次に、チャンネル８の受信が所定の期間だけ行われる。
【００４６】
チャンネル８を所定の期間だけ受信することによって得られた映像データはMPEGデコーダ１５により復号され、復号して得られた番組の映像が、映像信号処理回路１９内に設けられているメモリ１９Ａのメモリ空間Ｄに保存される。メモリ空間Ｄには、チャンネル８で放送されている番組の１フレームの映像をキャプチャした静止画、あるいは、チャンネル８で放送されている番組の所定の数のフレームからなる短い動画が、視聴する番組のチャンネルをチャンネル１からチャンネル８に切り換えることが指示されたときに表示させる映像の一部として保存される。
【００４７】
チャンネル８で放送されている番組の１フレームの映像をキャプチャした静止画、あるいは、チャンネル８で放送されている番組の所定の数のフレームからなる短い動画が保存されたとき、チューナ２においては、次に、チャンネル３の受信が、再度、所定の期間だけ行われる。
【００４８】
チャンネル３を所定の期間だけ受信することによって得られた映像データはMPEGデコーダ１５により復号され、復号して得られた番組の映像が、映像信号処理回路１９内に設けられているメモリ１９Ａのメモリ空間Ａに、それまで保存されていた映像に上書きして保存される。
【００４９】
視聴する番組のチャンネルをチャンネル１からチャンネル３に切り換えることが指示されたとき、そのときメモリ空間Ａに保存されている映像が一時的に表示されるため、このように、新たに取得された映像が上書きして記憶されるようにすることによって、ユーザがチャンネルの切り替えを指示したときに、より近いタイミングで取得された番組の一部を表示させることが可能になる。
【００５０】
例えば、以上のようにしてチューナ１とチューナ２によりそれぞれのチャンネルの受信が行われていた状態で時刻ｔ１において、チャンネル３に切り換えることが指示されたとき（視聴する番組を、チャンネル１で放送されるものからチャンネル３で放送されるものに切り替えることが指示されたとき）、チューナ１によるチャンネル１の受信は中止され、チューナ１においては、切り換え先となるチャンネル３の受信が開始される。また、このとき、メモリ１９Ａのメモリ空間Ａに保存されていた静止画、または短い動画が映像信号処理回路１９により読み出され、ディスプレイ回路２０、パネル駆動回路２１を介して表示パネル２２に表示される。
【００５１】
メモリ空間Ａに保存されていた静止画、または短い動画の表示は、チューナ１によりチャンネル３が受信されることによって得られた番組の映像データがMPEGデコーダ１３により復号され、復号して得られた番組の映像が、映像信号処理回路１９、ディスプレイ回路２０、パネル駆動回路２１を介して表示パネル２２に表示されるまで続けられる。チャンネル３の番組の映像を表示することができるようになったとき、メモリ空間Ａに保存されていた静止画、または短い動画の表示は中止され、チャンネル３の番組の映像が表示される。
【００５２】
これにより、ユーザは、チャンネル３の受信がチューナ１により開始され、チャンネル３で放送中の番組の映像が表示されるまでの間、チューナ２によりあらかじめ取得されていた、チャンネル３で放送されている番組の静止画、または短い動画を見ることができ、その内容を即座に確認することができる。
【００５３】
時刻ｔ１において他のチャンネルに切り換えることが指示された場合も同様に、チューナ１により受信された、切り替え後のチャンネルの番組の映像を表示することができるようになるまでの間、チャンネル４に切り換えることが指示されたときにはメモリ１９Ａのメモリ空間Ｂに保存されていた静止画、または短い動画が表示パネル２２に表示され、チャンネル６に切り換えることが指示されたときにはメモリ１９Ａのメモリ空間Ｃに保存されていた静止画、または短い動画が表示パネル２２に表示される。また、チャンネル８に切り換えることが指示されたときにはメモリ１９Ａのメモリ空間Ｄに保存されていた静止画、または短い動画が表示パネル２２に表示される。
【００５４】
次に、図４のフローチャートを参照して、以上のようにして表示パネル２２の表示を制御するテレビジョン受像機１の一連の処理について説明する。
【００５５】
この処理は、例えば、あるチャンネルの受信が指示され、そのチャンネルで放送されている番組の視聴がユーザにより行われているときに開始される。ユーザにより指示されたチャンネルはチューナ１（ディジタルチューナ１２）により受信され、番組の映像が表示パネル２２に表示される。チューナ２においては、チューナ１により受信されているチャンネル以外のチャンネルの受信が繰り返し行われ、番組の一部である静止画、または短い動画が映像信号処理回路１９のメモリ１９Ａに保存される。
【００５６】
ステップＳ１において、CPU２６は、受光部２７から供給される制御コマンドに基づいて、リモートコントローラ２８に設けられる選局ボタンが押下され、他のチャンネルに切り換えることが指示されたか否かを判定する。
【００５７】
CPU２６は、ステップＳ１において、他のチャンネルに切り換えることが指示されたと判定するまで待機し、他のチャンネルに切り換えることが指示されたと判定した場合、ステップＳ２に進む。
【００５８】
ステップＳ２において、CPU２６は、ユーザにより選局することが指示された選局先のチャンネルで放送されている番組の内容（静止画、短い動画）がメモリ１９Ａに保存されているか否かを判定する。
【００５９】
CPU２６は、ステップＳ２において、選局先のチャンネルで放送されている番組の内容がメモリ１９Ａに保存されていると判定した場合、ステップＳ３に進み、映像信号処理回路１９、ディスプレイ回路２０、パネル駆動回路２１を制御することによって、メモリ１９Ａに保存されている静止画、または短い動画を表示パネル２２に表示させる。
【００６０】
一方、CPU２６は、ステップＳ２において、選局先のチャンネルで放送されている番組の内容がメモリ１９Ａに保存されていないと判定した場合、ステップＳ４に進み、映像信号処理回路１９、ディスプレイ回路２０、パネル駆動回路２１を制御することによって、あらかじめ用意しておいた静止画、または短い動画を表示パネル２２に表示させる。ここで表示される静止画、または短い動画は、例えば、テレビジョン受像機１を電源オフにする直前に選局されていたチャンネルで放送されている番組の内容や、あるいは、「しばらくお待ちください」といったメッセージとともにデコード中であることをイメージするような画像などであり、特に限定されるものではない。
【００６１】
ステップＳ３、またはステップＳ４において静止画、または動画が表示されたとき、ステップＳ５に進み、CPU２６は、チューナ１を制御して、ユーザにより選局することが指示された選局先のチャンネルの受信を開始させ、MPEGデコーダ１３に、映像データの復号を開始させる。
【００６２】
ステップＳ６において、CPU２６は、表示に用いることができる分の、選局先のチャンネルで放送される番組の映像データの復号が完了したか否かを判定し、完了したと判定するまで待機する。
【００６３】
CPU２６は、ステップＳ６において、表示に用いることができる分の選局先のチャンネルで放送される番組の映像データの復号が完了したと判定した場合、ステップＳ７に進み、それまで表示パネル２２に表示させていた静止画、または動画の表示を消し、ステップＳ８に進み、映像信号処理回路１９、ディスプレイ回路２０、パネル駆動回路２１を制御することによって、チューナ１により新たに受信が開始された選局先の番組の映像を表示パネル２２に表示させる。
【００６４】
その後、処理はステップＳ１に戻り、チャンネルを切り換えることが指示される毎に、以上の処理が繰り返される。
【００６５】
以上の処理が行われることにより、チャンネル切り替え時のブランキングの発生を防ぐことができ、ユーザは、切り替え先のチャンネルで放送されている番組の内容を、ストレスを感じることなく確認することができる。
【００６６】
すなわち、メモリ１９Ａの各メモリ空間に保存されている静止画や短い動画は各番組の最新の画面を表すものではないが、表示される静止画や短い動画から、その番組が“スポーツ”なのか“ニュース”なのかといった情報を読み取ることができ、視聴しようとする番組をストレスなく探すことができる。
【００６７】
また、チューナ１により受信されているチャンネル以外のチャンネルを短い時間間隔で切り替えてチューナ２に受信させ、メモリ１９Ａに保存させておく静止画や短い動画を頻繁に更新することができる場合には、選局先のチャンネルで放送される内容が“ＣＭ中”なのか、あるいは“本編中“なのかといったこともユーザは確認することができる。
【００６８】
以上においては、あるチャンネルがチューナ１により受信され、そのチャンネルで放送されている番組の視聴がユーザにより行われている場合について説明したが、テレビジョン受像機１の電源が投入され、起動した直後には、例えば、電源オフにする直前に受信されていたものと同じチャンネルがチューナ１により受信され、チューナ１により受信されているチャンネル以外のチャンネルがチャンネル番号の若い順にチューナ２により順次受信される。また例えば、ユーザによりお気に入りのチャンネルがあらかじめ設定されている場合、チューナ２によるチャンネルの受信は、ユーザにより選択されているチャンネルから優先的に行われるようにしてもよい。
【００６９】
電源が投入されてから、全てのメモリ空間（メモリ空間Ａ乃至Ｄ）が埋まるまでには、暫く時間がかかるのでメモリ空間が埋まる前にチャンネル切り替えが行われた場合には、あらかじめ用意しておいた静止画または短い動画を表示させ、一旦メモリ空間が全部埋まってしまえば、チャンネル切り替えが行われても、切り替え後のチャンネルで放送される番組の１フレームの映像をキャプチャした静止画あるいは所定の数のフレームからなる短い動画を表示させることができ、チャンネル切り替えによるブランキングは発生しなくなる。
【００７０】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００７１】
図５は、上述した一連の処理をプログラムにより実行するパーソナルコンピュータの構成の例を示すブロック図である。
【００７２】
CPU１０１は、ROM１０２、または記憶部１０８に記憶されているプログラムに従って各種の処理を実行する。RAM１０３には、CPU１０１が実行するプログラムやデータなどが適宜記憶される。これらのCPU１０１、ROM１０２、およびRAM１０３は、バス１０４により相互に接続されている。
【００７３】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【００７４】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【００７５】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【００７６】
コンピュータにインストールされ、コンピュータによって実行可能な状態とされるプログラムを格納するプログラム記録媒体は、図５に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア１１１、または、プログラムが一時的もしくは永続的に格納されるROM１０２や、記憶部１０８を構成するハードディスクなどにより構成される。プログラム記録媒体へのプログラムの格納は、必要に応じてルータ、モデムなどのインタフェースである通信部１０９を介して、ローカルエリアネットワーク、インターネット、ディジタル衛星放送といった、有線または無線の通信媒体を利用して行われる。
【００７７】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【００７８】
【図１】本発明を適用したテレビジョン受像機のハードウエア構成例を示すブロック図である。
【図２】受信チャンネルの切り替えの例を示す図である。
【図３】メモリ空間の例を示す図である。
【図４】テレビジョン受像機の表示制御処理について説明するフローチャートである。
【図５】パーソナルコンピュータの構成例を示すブロック図である。
【符号の説明】
【００７９】
１  テレビジョン受像機，  １２，１４  ディジタルチューナ，  １３，１５  MPEGデコーダ，  １９  映像信号処理回路，  ２２  表示パネル
【図１】
2008011234.tif 000003
【図２】
2008011234.tif 000004
【図３】
2008011234.tif 000005
【図４】
2008011234.tif 000006
【図５】
2008011234.tif 000007